(57)【特許請求の範囲】
【請求項１】
携帯端末装置において、
第１表示面を有する第１キャビネットと、
第２表示面を有する第２キャビネットと、
前記第１表示面と前記第２表示面とが並ぶ第１配置状態と、前記第１表示面と前記第２表示面とが並び且つ前記第１配置状態とは前記第１キャビネットと前記第２キャビネットとの相対位置が異なる第２配置状態とに配置状態が切替可能となるよう、前記第１キャビネットおよび前記第２キャビネットを支持する支持部と、
前記第１配置状態と前記第２配置状態との間での切り替わりを検出する状態検出部と、
前記携帯端末装置の向きを検出する向き検出部と、
前記第１表示面および前記第２表示面への表示を制御する制御部と、を備え、
前記制御部は、前記第１表示面および前記第２表示面による表示形態が、２つのプログラムに係る一方の実行画面を前記第１表示面に、他方の実行画面を前記第２表示面に表示する第１形態にある状態において、前記配置状態が前記第１配置状態から前記第２配置状態に切り替えられたとき、
前記携帯端末装置の向きが前記第１表示面および前記第２表示面が上下に並ぶ第１の向きであれば、前記表示形態を前記第１形態から１つのプログラムに係る実行画面を前記第１表示面および前記第２表示面に表示する第２形態に切り替え、
前記携帯端末装置の向きが前記第１表示面および前記第２表示面が左右に並ぶ第２の向きであれば、前記表示形態を前記第１形態のままとする、
ことを特徴とする携帯端末装置。
【請求項２】
請求項１に記載の携帯端末装置において、
前記支持部は、前記第１配置状態では前記第１表示面および前記第２表示面が略面一になるよう配置され、前記第２配置状態では前記第１表示面および前記第２表示面が所定の鈍角を形成するよう配置されるように、前記第１キャビネットおよび前記第２キャビネットを支持する、
ことを特徴とする携帯端末装置。
【請求項３】
請求項１または２に記載の携帯端末装置において、
前記制御部は、前記表示形態を前記第１形態から前記第２形態に切り替えると、現在の操作対象であるプログラムの実行画面を前記第２形態で表示する、
ことを特徴とする携帯端末装置。
【請求項４】
請求項１ないし３の何れか一項に記載の携帯端末装置において、
前記制御部は、前記第２形態で実行画面が表示されないプログラムを、バックグランドで実行する、
ことを特徴とする携帯端末装置。
【請求項５】
請求項１ないし４の何れか一項に記載の携帯端末装置において、
前記制御部は、所定の切替操作に基づいて、前記第２形態で実行画面が表示されるプログラムを、フォアグランドとバックグランドとの間で切り替える、
ことを特徴とする携帯端末装置。
【請求項６】
第１表示面を有する第１キャビネットと、
第２表示面を有する第２キャビネットと、
前記第１表示面と前記第２表示面とが並ぶ第１配置状態と、前記第１表示面と前記第２表示面とが並び且つ前記第１配置状態とは前記第１キャビネットと前記第２キャビネットとの相対位置が異なる第２配置状態とに配置状態が切替可能となるよう、前記第１キャビネットおよび前記第２キャビネットを支持する支持部と、
前記第１配置状態と前記第２配置状態との間での切り替わりを検出する状態検出部と、
前記第１表示面および前記第２表示面への表示を制御する制御部と、を備え、
前記支持部は、さらに、前記第１配置状態または前記第２配置状態から、前記第２表示面が前記第１キャビネットに覆われる第３配置状態に切替可能となるよう、前記第１キャビネットおよび前記第２キャビネットを支持し、
前記制御部は、
前記第１配置状態と前記第２配置状態との間での切り替わりに応じて、前記第１表示面および前記第２表示面による表示形態を、２つのプログラムに係る一方の実行画面を前記第１表示面に、他方の実行画面を前記第２表示面に表示する第１形態と、１つのプログラムに係る実行画面を前記第１表示面および前記第２表示面に表示する第２形態との間で切り替えるとともに、
前記第１配置状態または前記第２配置状態から前記第３配置状態に切り替えられると、現在の操作対象であるプログラムの実行画面を前記第１表示面に表示する、
ことを特徴とする携帯端末装置。
【請求項７】
第１表示面を有する第１キャビネットと、
第２表示面を有する第２キャビネットと、
前記第１表示面と前記第２表示面とが並ぶ第１配置状態と、前記第１表示面と前記第２表示面とが並び且つ前記第１配置状態とは前記第１キャビネットと前記第２キャビネットとの相対位置が異なる第２配置状態とに配置状態が切替可能となるよう、前記第１キャビネットおよび前記第２キャビネットを支持する支持部と、
前記第１配置状態と前記第２配置状態との間での切り替わりを検出する状態検出部と、を備える携帯端末装置であって、当該携帯端末装置の向きを検出する向き検出部をさらに備える携帯端末装置のコンピュータに、
前記第１表示面および前記第２表示面による表示形態が、２つのプログラムに係る一方の実行画面を前記第１表示面に、他方の実行画面を前記第２表示面に表示する第１形態にある状態において、前記配置状態が前記第１配置状態から前記第２配置状態に切り替えられたとき、
前記携帯端末装置の向きが前記第１表示面および前記第２表示面が上下に並ぶ第１の向きであれば、前記表示形態を前記第１形態から１つのプログラムに係る実行画面を前記第１表示面および前記第２表示面に表示する第２形態に切り替え、
前記携帯端末装置の向きが前記第１表示面および前記第２表示面が左右に並ぶ第２の向きであれば、前記表示形態を前記第１形態のままとする、
機能を実行させるプログラム。
【請求項８】
第１表示面を有する第１キャビネットと、
第２表示面を有する第２キャビネットと、
前記第１表示面と前記第２表示面とが並ぶ第１配置状態と、前記第１表示面と前記第２表示面とが並び且つ前記第１配置状態とは前記第１キャビネットと前記第２キャビネットとの相対位置が異なる第２配置状態とに配置状態が切替可能となるよう、前記第１キャビネットおよび前記第２キャビネットを支持する支持部と、
前記第１配置状態と前記第２配置状態との間での切り替わりを検出する状態検出部と、を備え、
前記支持部が、さらに、前記第１配置状態または前記第２配置状態から、前記第２表示面が前記第１キャビネットに覆われる第３配置状態に切替可能となるよう、前記第１キャビネットおよび前記第２キャビネットを支持する携帯端末装置のコンピュータに、
前記第１配置状態と前記第２配置状態との間での切り替わりに応じて、前記第１表示面および前記第２表示面による表示形態を、２つのプログラムに係る一方の実行画面を前記第１表示面に、他方の実行画面を前記第２表示面に表示する第１形態と、１つのプログラムに係る実行画面を前記第１表示面および前記第２表示面に表示する第２形態との間で切り替える機能と、
前記第１配置状態または前記第２配置状態から前記第３配置状態に切り替えられると、現在の操作対象であるプログラムの実行画面を前記第１表示面に表示する機能と、
を実行させるプログラム。
【発明の詳細な説明】
【技術分野】
【０００１】
本発明は、携帯電話機やＰＤＡ（Personal Digital Assistant）、タブレットＰＣ（Tablet PC）等の携帯端末装置に関するものである。
【背景技術】
【０００２】
従来、携帯電話機等の携帯端末装置において、２つのディスプレイを備えるものが提案されている。２つのディスプレイは、たとえば、互いに並ぶように配され得る（たとえば、特許文献１参照）。
【先行技術文献】
【特許文献】
【０００３】
【特許文献１】特開平９−３０５２６２号公報
【発明の概要】
【発明が解決しようとする課題】
【０００４】
ところで、携帯端末装置では、複数のアプリケーションプログラム（以下、単に「アプリケーション」という）が並行して実行され得る。上記のように、携帯端末装置が２つのディスプレイを備える場合、実行されている２つのアプリケーションのそれぞれの実行画面を、２つのディスプレイにそれぞれ表示させ得る。以下、この表示形態を「セパレート画面表示」と称する。
【０００５】
一方、実行されている１つのアプリケーションの実行画面を、２つのディスプレイの表示面を一体化させた１つの大きな表示面に表示させ得る。以下、この表示形態を「フル画面表示」と称する。
【０００６】
上記のような構成において、セパレート画面表示とフル画面表示との間で表示形態を切り替える等、複数の表示部による表示形態を容易に切り替えることができれば、ユーザに対する利便性が大きく向上し得る。
【０００７】
本発明は、このような課題に鑑みてなされたものであり、複数の表示部による表示形態を容易に切り替えることができる携帯端末装置を提供することを目的とする。
【課題を解決するための手段】
【０００８】
本発明の第１の態様に係る携帯端末装置は、第１表示面を有する第１キャビネットと、第２表示面を有する第２キャビネットと、前記第１表示面と前記第２表示面とが並ぶ第１配置状態と、前記第１表示面と前記第２表示面とが並び且つ前記第１配置状態とは前記第１キャビネットと前記第２キャビネットとの相対位置が異なる第２配置状態とに配置状態が切替可能となるよう、前記第１キャビネットおよび前記第２キャビネットを支持する支持部と、前記第１配置状態と前記第２配置状態との間での切り替わりを検出する状態検出部と、前記携帯端末装置の向きを検出する向き検出部と、前記第１表示面および前記第２表示面への表示を制御する制御部と、を備える。ここで、前記制御部は、前記第１表示面および前記第２表示面による表示形態が、２つのプログラムに係る一方の実行画面を前記第１表示面に、他方の実行画面を前記第２表示面に表示する第１形態にある状態において、前記配置状態が前記第１配置状態から前記第２配置状態に切り替えられたとき、前記携帯端末装置の向きが前記第１表示面および前記第２表示面が上下に並ぶ第１の向きであれば、前記表示形態を前記第１形態から１つのプログラムに係る実行画面を前記第１表示面および前記第２表示面に表示する第２形態に切り替え、前記携帯端末装置の向きが前記第１表示面および前記第２表示面が左右に並ぶ第２の向きであれば、前記表示形態を前記第１形態のままとする。
【０００９】
本態様に係る携帯端末装置において、前記支持部は、前記第１配置状態では前記第１表
示面および前記第２表示面が略面一になるよう配置され、前記第２配置状態では前記第１表示面および前記第２表示面が所定の鈍角を形成するよう配置されるように、前記第１キャビネットおよび前記第２キャビネットを支持するような構成とされ得る。
【００１１】
本態様に係る携帯端末装置において、前記制御部は、前記表示形態を前記第１形態から前記第２形態に切り替えると、現在の操作対象であるプログラムの実行画面を前記第２形態で表示するような構成とされ得る。
【００１３】
本態様に係る携帯端末装置において、前記制御部は、前記第２形態で実行画面が表示されないプログラムを、バックグランドで実行するような構成とされ得る。
【００１４】
本態様に係る携帯端末装置において、前記制御部は、所定の切替操作に基づいて、前記第２形態で実行画面が表示されるプログラムを、フォアグランドとバックグランドとの間で切り替えるような構成とされ得る。
【００１５】
本発明の第２の態様に係る携帯端末装置は、第１表示面を有する第１キャビネットと、第２表示面を有する第２キャビネットと、前記第１表示面と前記第２表示面とが並ぶ第１配置状態と、前記第１表示面と前記第２表示面とが並び且つ前記第１配置状態とは前記第１キャビネットと前記第２キャビネットとの相対位置が異なる第２配置状態とに配置状態が切替可能となるよう、前記第１キャビネットおよび前記第２キャビネットを支持する支持部と、前記第１配置状態と前記第２配置状態との間での切り替わりを検出する状態検出部と、前記第１表示面および前記第２表示面への表示を制御する制御部と、を備える。ここで、前記支持部は、さらに、前記第１配置状態または前記第２配置状態から、前記第２表示面が前記第１キャビネットに覆われる第３配置状態に切替可能となるよう、前記第１キャビネットおよび前記第２キャビネットを支持する。前記制御部は、前記第１配置状態と前記第２配置状態との間での切り替わりに応じて、前記第１表示面および前記第２表示面による表示形態を、２つのプログラムに係る一方の実行画面を前記第１表示面に、他方の実行画面を前記第２表示面に表示する第１形態と、１つのプログラムに係る実行画面を前記第１表示面および前記第２表示面に表示する第２形態との間で切り替えるとともに、前記第１配置状態または前記第２配置状態から前記第３配置状態に切り替えられると、現在の操作対象であるプログラムの実行画面を前記第１表示面に表示する。
【００１６】
本発明の第３の態様に係るプログラムは、第１表示面を有する第１キャビネットと、第２表示面を有する第２キャビネットと、前記第１表示面と前記第２表示面とが並ぶ第１配置状態と、前記第１表示面と前記第２表示面とが並び且つ前記第１配置状態とは前記第１キャビネットと前記第２キャビネットとの相対位置が異なる第２配置状態とに配置状態が切替可能となるよう、前記第１キャビネットおよび前記第２キャビネットを支持する支持部と、前記第１配置状態と前記第２配置状態との間での切り替わりを検出する状態検出部と、を備える携帯端末装置であって、当該携帯端末装置の向きを検出する向き検出部をさらに備える携帯端末装置のコンピュータに、前記第１表示面および前記第２表示面による表示形態が、２つのプログラムに係る一方の実行画面を前記第１表示面に、他方の実行画面を前記第２表示面に表示する第１形態にある状態において、前記配置状態が前記第１配置状態から前記第２配置状態に切り替えられたとき、前記携帯端末装置の向きが前記第１表示面および前記第２表示面が上下に並ぶ第１の向きであれば、前記表示形態を前記第１形態から１つのプログラムに係る実行画面を前記第１表示面および前記第２表示面に表示する第２形態に切り替え、前記携帯端末装置の向きが前記第１表示面および前記第２表示面が左右に並ぶ第２の向きであれば、前記表示形態を前記第１形態のままとする機能を実行させる。
本発明の第４の態様に係るプログラムは、第１表示面を有する第１キャビネットと、第２表示面を有する第２キャビネットと、前記第１表示面と前記第２表示面とが並ぶ第１配置状態と、前記第１表示面と前記第２表示面とが並び且つ前記第１配置状態とは前記第１キャビネットと前記第２キャビネットとの相対位置が異なる第２配置状態とに配置状態が切替可能となるよう、前記第１キャビネットおよび前記第２キャビネットを支持する支持部と、前記第１配置状態と前記第２配置状態との間での切り替わりを検出する状態検出部と、を備え、前記支持部が、さらに、前記第１配置状態または前記第２配置状態から、前記第２表示面が前記第１キャビネットに覆われる第３配置状態に切替可能となるよう、前記第１キャビネットおよび前記第２キャビネットを支持する携帯端末装置のコンピュータに、前記第１配置状態と前記第２配置状態との間での切り替わりに応じて、前記第１表示面および前記第２表示面による表示形態を、２つのプログラムに係る一方の実行画面を前記第１表示面に、他方の実行画面を前記第２表示面に表示する第１形態と、１つのプログラムに係る実行画面を前記第１表示面および前記第２表示面に表示する第２形態との間で切り替える機能と、前記第１配置状態または前記第２配置状態から前記第３配置状態に切り替えられると、現在の操作対象であるプログラムの実行画面を前記第１表示面に表示する機能と、を実行させる。
【発明の効果】
【００１７】
本発明によれば、複数の表示部による表示形態を容易に切り替えることができる携帯端末装置を提供することができる。
【００１８】
本発明の効果ないし意義は、以下に示す実施の形態の説明により更に明らかとなろう。
ただし、以下の実施の形態は、あくまでも、本発明を実施化する際の一つの例示であって、本発明は、以下の実施の形態に記載されたものに何ら制限されるものではない。
【図面の簡単な説明】
【００１９】
【図１】実施の形態に係る、閉状態および開状態の携帯電話機の外観構成および断面構成を示す図である。
【図２】実施の形態に係る、チルト状態の携帯電話機の外観構成を示す図である。
【図３】実施の形態に係る、携帯電話機の、閉状態から開状態へ変形される様子を説明する図である。
【図４】実施の形態に係る、携帯電話機の全体構成を示すブロック図である。
【図５】実施の形態に係る、第１表示面および第２表示面にランチャー画面およびアプリケーションの実行画面が表示された状態を示す図である。
【図６】実施の形態に係る、携帯電話機が、開状態、チルト状態および閉状態の間で切り替えられたときに表示形態を切り替えるための表示制御の処理手順を示すフローチャートである。
【図７】実施の形態に係る、携帯電話機が、開状態、チルト状態および閉状態の間で切り替えられたときに表示形態を切り替えるための表示制御の処理手順を示すフローチャートである。
【図８】実施の形態に係る、図６および図７の表示制御が実行されたときの画面表示例を表す図である。
【図９】変更例１に係る表示制御の処理手順を示すフローチャートである。
【図１０】図９の表示制御が実行されたときの画面表示例を表す図である。
【図１１】変更例２に係る表示制御の処理手順を示すフローチャートである。
【図１２】変更例２に係る表示制御の処理手順を示すフローチャートである。
【図１３】変更例２に係る表示制御の処理手順を示すフローチャートである。
【図１４】図１１から図１３の表示制御が実行されたときの画面表示例を表す図である。
【図１５】その他の変更例について説明するための図である。
【図１６】その他の変更例について説明するための図である。
【発明を実施するための形態】
【００２０】
以下、本発明の実施の形態に係る携帯電話機について説明する。
【００２１】
＜携帯電話機の構成＞
図１（ａ）〜（ｄ）、図２（ａ）および（ｂ）は、本実施の形態に係る携帯電話機１の構成を示す図である。図１（ａ）は、閉状態の携帯電話機１の構成を示す斜視図、図１（ｂ）は、開状態の携帯電話機１の構成を示す斜視図である。図１（ｃ）は、図１（ａ）の携帯電話機１を右側から見たときの内部透視図、図１（ｄ）は、図１（ｂ）の携帯電話機１を右側から見たときの内部透視図である。
【００２２】
図２(ａ)は、チルト状態の携帯電話機１を、第１キャビネット１０の手前側から見た斜視図、図２(ｂ)は、チルト状態の携帯電話機１を、第１キャビネット１０の奥側から見た斜視図である。
【００２３】
図１を参照して、携帯電話機１は、第１キャビネット１０と、第２キャビネット２０と、これら第１および第２キャビネット１０、２０を連結する連結部３０とで構成されている。
【００２４】
以下、携帯電話機１に対する「右」、「左」、「上」、「下」、「手前」および「奥」の方向は、図１(ａ)および（ｂ）に示すように設定される。Ｘ軸、Ｙ軸およびＺ軸の正方
向は、それぞれ、上、左および手前方向に対応する。第１および第２キャビネット１０、２０の「前面」は、それぞれ第１および第２キャビネット１０、２０の手前側の面である。第１および第２キャビネット１０、２０の「背面」は、それぞれ第１および第２キャビネット１０、２０の奥側の面である。
【００２５】
閉状態は、第１キャビネット１０が、第２キャビネット２０の前面に重ねられて配された状態である。開状態は、第１キャビネット１０が、第２キャビネット２０の上側に並べられた状態である。
【００２６】
第１キャビネット１０は、左右方向に長い平坦な直方体形状を有する。第１キャビネット１０の前面には、第１タッチパネル１１が配されている。第１タッチパネル１１は、第１ディスプレイ１２および第１タッチセンサ１３を含む。
【００２７】
第１ディスプレイ１２は、液晶ディスプレイであり、液晶パネル、バックライトおよびこれらを駆動するドライバ回路を備える（図示せず）。ドライバ回路が、表示制御装置（後述）から受信する画面信号および制御信号に基づき、液晶パネルおよびバックライトを駆動することにより、液晶パネルが画面を描画し、バックライトが点灯する。これによって、第１タッチパネル１１の外面である第１表示面１４を介して、ユーザは、描画された画面を閲覧できる。
【００２８】
第１タッチセンサ１３は、長方形状の透明なシートであり、第１ディスプレイ１２の上に重ねられて配されている。第１タッチセンサ１３は、ユーザが第１表示面１４に対して入力したとき、すなわち第１表示面１４をタッチしたとき、タッチされた第１表示面１４上の位置（入力位置）を検出する。第１タッチセンサ１３は、検出した入力位置に応じた位置信号を出力する。
【００２９】
なお、ユーザが第１表示面１４を「タッチ」するとは、ユーザが指やペンなどの接触部材によって第１表示面１４に触れることである。ユーザが接触部材によって第１表示面１４を押したり、撫でたり、第１表示面１４に図形や文字を描いたりする場合に「タッチ」が行われる。ユーザが第１表示面１４を「タップ」するとは、接触部材や指が第１表示面１４を弾くように、第１表示面１４のある位置において接触部材や指をタッチさせ、短時間のうちにリリースさせる動作を言う。ユーザが第１表示面１４を「スライド」するとは、ユーザが接触部材や指を、第１表示面１４に接触したまま、第１表示面１４に沿って動かす動作を言う。
【００３０】
第１キャビネット１０の、背面部の左側には、動画および静止画の撮像のためのレンズ窓１５（図２（ｂ）参照）が配される。
【００３１】
第１キャビネット１０の前面には、キー群１６が配される。キー群１６は、ホーム画面を第１表示面１４に表示させるためのホームキー１６Ｈ、アプリケーションの実行の際に第１表示面１４に表示される画面をひとつ戻すためのバックキー１６Ｂ、アプリケーションの起動のためのアイコンを含むアプリケーション起動画面（ランチャ画面）を第１表示面１４に表示させるためのランチャキー１６Ｒ等を含む。
【００３２】
ホームキー１６Ｈ、バックキー１６Ｂおよびランチャキー１６Ｒは、タッチキーである。指等により、ホームキー１６Ｈ、バックキー１６Ｂおよびランチャキー１６Ｒのいずれかがタッチされると、キー入力回路（後述）が備えるタッチセンサ（図示せず）がこのタッチの操作を検出し、タッチされたキーに応じた信号を出力する。
【００３３】
第２キャビネット２０は、左右方向に長い平坦な直方体形状を有する。第２キャビネッ
ト２０の前面には、第２タッチパネル２１が配されている。第２タッチパネル２１は、第２ディスプレイ２２および第２タッチセンサ２３を含む。
【００３４】
第２ディスプレイ２２の構成は、第１ディスプレイ１２の構成に略同じである。第２ディスプレイ２２は、液晶ディスプレイであり、液晶パネル、バックライトおよびこれらを駆動するドライバ回路を備える（図示せず）。ドライバ回路が、表示制御装置（後述）から受信する画面信号および制御信号に基づき液晶パネルおよびバックライトを駆動することにより、液晶パネルが画面を描画し、バックライトが点灯する。これによって、第２タッチパネル２１の外面である第２表示面２４を介して、ユーザは描画された画面を閲覧できる。
【００３５】
第２タッチセンサ２３は、長方形状の透明なシートであり、第２ディスプレイ２２の上に重ねられて配されている。第２タッチセンサ２３は、ユーザが第２表示面２４をタッチしたとき、タッチされた第２表示面２４上の位置を検出する。第２タッチセンサ２３は、検出した位置に応じた信号を出力する。
【００３６】
第２キャビネット２０の前面および側面には、キー群２６が配される。キー群２６は、ホーム画面を第２表示面２４に表示させるためのホームキー２６Ｈ、アプリケーションの実行の際に第２表示面２４に表示される画面をひとつ戻すためのバックキー２６Ｂ、アプリケーション起動画面を第２表示面２４に表示させるためのランチャキー２６Ｒ等を含む。ホームキー２６Ｈ、バックキー２６Ｂおよびランチャキー２６Ｒは、タッチキーである。指等により、ホームキー２６Ｈ、バックキー２６Ｂおよびランチャキー２６Ｒのいずれかがタッチされると、キー入力回路（図５参照）が備えるタッチセンサ(図示せず)がこのタッチの操作を検出し、タッチされたキーに応じた位置信号を出力する。
【００３７】
キー群２６は、第２キャビネット２０の下側側面部に配された機能キー１６Ｆ１、１６Ｆ２、１６Ｆ３をさらに含む。機能キー１６Ｆ１、１６Ｆ２、１６Ｆ３は、所定アプリケーションの起動、またはアプリケーションの実行時における音量調節その他の各種の機能のためのキーである。機能キー１６Ｆ１、１６Ｆ２、１６Ｆ３が押下されると、キー入力回路（図５参照）がこの押下を検出し、押下されたキーに応じた信号を出力する。
【００３８】
図１（ｃ）を参照して、閉状態において、第１および第２表示面１４、２４のうち第１表示面１４のみが外部を臨む。第２表示面２４は、第１キャビネット１０の背後に配され、外部を臨まない。図１（ｄ）を参照して、開状態において、第１および第２表示面１４、２４は、携帯電話機１の前面側から外部を臨む。
【００３９】
なお、開状態において、第１表示面１４の下側の境界は、第１キャビネット１０の下側側面に近い位置（数ミリメートル）に位置する。同様に、第２表示面２４の上側の境界は、第２キャビネット２０の上側側面に近い位置（数ミリメートル）に位置する。このように、開状態において、第１表示面１４と第２表示面２４との間の隙間は小さいため、ユーザは、第１表示面１４と第２表示面２４とを、一体化された一つの表示面として、認識できる。
【００４０】
図２（ａ）および（ｂ）に示されるチルト状態において、第１キャビネット１０が、第２キャビネット２０の上側に並べられて配される。ただし、チルト状態での第１および第２キャビネット１０、２０の各前面は、開状態の場合と異なり、図２（ａ）および（ｂ）に示される如く、所定の鈍角（たとえば百数十度）を有するよう配されている。
【００４１】
連結部３０は、中央フレーム３１、第１右フレーム３２、第１左フレーム３３、第２右フレーム３４および第２左フレーム３５を有する。中央フレーム３１は、左右に延びる形
状を有する。中央フレーム３１の右端は、第１右フレーム３２の一端および第２右フレーム３４の一端に接続する。中央フレーム３１の左端は、第１左フレーム３３の一端および第２左フレーム３５の一端に接続する。
【００４２】
第１右フレーム３２および第１左フレーム３３の他端には、それぞれ左右方向に延びる軸(図示せず)が配される。この軸が、第１キャビネット１０の左右の側面部に配された溝部１７により挟まれる。なお、図２（ｂ）において、左側側面部の溝部１７のみが描かれる。これらの軸が、溝部１７に沿ってスライド移動可能に第１キャビネット１０に保持されることにより、第１キャビネット１０が、軸を中心に回転可能、且つ溝部１７に沿って上下方向にスライド可能に、第１右フレーム３２および第１左フレーム３３により保持される。
【００４３】
第２右フレーム３４および第２左フレーム３５は、第２キャビネット２０を、左右方向を軸として回転可能に保持する。
【００４４】
連結部３０は、以下に図３（ａ)〜(ｆ)を用いて説明するように、第１および第２キャビネット１０、２０を、開状態と閉状態とを、チルト状態を介して切り替え可能に保持する。ユーザは、手動で、携帯電話機１の配置状態を遷移させることができる。第１表示面１４および第２表示面２４は略長方形状を有しており、開状態およびチルト状態において、第１表示面１４および第２表示面２４は、それらの長辺同士が隣り合うように並ぶ。なお、開状態、チルト状態および閉状態が、それぞれ、本発明の第１配置状態、第２配置状態、第３配置状態に相当する。
【００４５】
図３（ａ）〜（ｆ）は、携帯電話機１の画面状態が閉状態（図３（ａ））から、チルト状態（図３（ｄ））を介して開状態（図３（ｆ））へ遷移される過程を、携帯電話機１の右側から見て説明する図である。
【００４６】
携帯電話機１が図３（ａ）のように閉状態にあるとき、第１キャビネット１０が手前方向（図３（ａ）の破線矢印）へ移動されると、図３（ｂ）に示す如く、第１キャビネット１０の背面が、第２キャビネット２０の前面から離れる。このとき、第１キャビネット１０の移動に応じて、連結部３０は、時計回りの方向へ回転（実線矢印）される。
【００４７】
図３（ｂ）に示される状態において、第１キャビネット１０がさらに手前方向へ移動され、且つ第１表示面１４が下側を向くように回転されると（破線矢印）、携帯電話機１の状態は、図３（ｃ）の配置状態を介して、図３（ｄ）のチルト状態に至る。チルト状態において、第１キャビネット１０の背面の下側は、連結部３０に当接する。
【００４８】
第１キャビネット１０の背面の下側が連結部３０に当接した状態が保たれたまま、連結部３０がさらに時計回りの方向（図３(ｄ)の破線矢印）へ回転されると、携帯電話機１は、図３（ｅ）に示される、第１表示面１４と第２表示面２４とが略一面状態になる状態に至る。
【００４９】
図３（ｅ）において、第１キャビネット１０および第２キャビネット２０との間には、間隙（数ミリメートル）が存在する。第１キャビネット１０を、第２キャビネット２０に対して下方向（一点鎖線矢印）へスライドさせると、図３（ｆ）のように、携帯電話機１は開状態へと至る。このとき、第１キャビネット１０の下側側面と、第２キャビネット２０の上側側面とが、互いに接した状態となる。
【００５０】
なお、携帯電話機１が図３（ｄ）で示されるチルト状態にあるとき、すなわち第１右フレーム３２および第１左フレーム３３と第２キャビネット２０とが所定の鈍角をなす状態
にあるとき、連結部３０は、連結部３０の回転を弱く係止するための構造を有する。回転が弱く係止されるため、ユーザは、チルト状態を保ったまま携帯電話機１を使用することが可能であり、且つ、使用状態をチルト状態から開状態または閉状態へ、容易に変化させることができる。
【００５１】
図４は、携帯電話機１の全体構成を示すブロック図である。本実施の形態の携帯電話機１は、上述した各構成要素の他、ＣＰＵ１００、メモリ２００、カメラモジュール３０１、マイク３０２、音声エンコーダ３０３、キー入力回路３０４、通信モジュール３０５、第１表示制御装置３０６、第２表示制御装置３０７、第１ＶＲＡＭ３０８、第２ＶＲＡＭ３０９、音声デコーダ３１０、スピーカ３１１、開閉センサ３１２および加速度センサ３１３を備えている。
【００５２】
カメラモジュール３０１は、第１キャビネット１０に配されている。カメラモジュール３０１はレンズ窓１５を介して撮像し、カメラモジュール３０１が内蔵する映像エンコーダ（図示せず）によりデジタル撮像信号を生成する。カメラモジュール３０１は、生成した撮像信号をＣＰＵ１００へ出力する。
【００５３】
マイク３０２は、第１キャビネット１０に配される。マイク３０２は、集音した音声を音声信号に変換して音声エンコーダ３０３へ出力する。音声エンコーダ３０３は、マイク３０２からのアナログの音声信号をデジタルの音声信号に変換し、変換されたデジタルの音声信号をＣＰＵ１００へ出力する。
【００５４】
キー入力回路３０４は、キー群１６、２６の各キーが押下されたときに、押下されたキーに応じた信号をＣＰＵ１００へ出力する。
【００５５】
通信モジュール３０５は、通話や通信のための電波を送受信するアンテナ（図示せず）を備える。通信モジュール３０５は、ＣＰＵ１００から入力される信号を無線信号に変換し、変換された無線信号を、アンテナを介して、基地局や他の通信装置等の通信先へ送信する。また、通信モジュール３０５は、アンテナを介して受信した無線信号をＣＰＵ１００が利用できる形式の信号へ変換し、変換された信号をＣＰＵ１００へ出力する。
【００５６】
第１表示制御装置３０６および第２表示制御装置３０７は、それぞれ、第１ディスプレイ１２および第２ディスプレイ２２を制御する。第１表示制御装置３０６はおよび第２表示制御装置３０７は、それぞれＬＣＤコントローラを有する。また、第１表示制御装置３０６はおよび第２表示制御装置３０７は、それぞれ、画面を記憶する第１ＶＲＡＭ３０８および第２ＶＲＡＭ３０９を有する。
【００５７】
第１表示制御装置３０６は、ＣＰＵ１００から入力する画像データに基づき画面表示のためのデータを生成し、生成した画面データを、ＣＰＵ１００から入力する制御信号にもとづいて、第１ＶＲＡＭ３０８に記憶させる。第１ＶＲＡＭ３０８は、複数の画面（たとえば数画面分）の画面データを記憶できる。第１表示制御装置３０６は、第１ＶＲＡＭ３０８に記憶された表示対象の画面データを、所定の時間間隔（たとえば、１秒に数１０回程度）で、第１ディスプレイ１２のドライバ回路へ出力する。
【００５８】
第２表示制御装置３０７は、第１表示制御装置３０６と同様の構成がとられている。すなわち、第２表示制御装置３０７は、ＣＰＵ１００から入力する制御信号および画面データに基づき、第２ＶＲＡＭ３０９に複数の画面データを記憶させる。第２表示制御装置３０７は、第２ＶＲＡＭ３０９に記憶された表示対象の画面データを、所定の時間間隔（たとえば、１秒に数１０回程度）で、第２ディスプレイ２２のドライバ回路に出力する。
【００５９】
なお、第１および第２ディスプレイ１２、２２は、ＬＥＤディスプレイ等の、他の平面型表示装置であってもよい。
【００６０】
音声デコーダ３１０は、ＣＰＵ１００からの音信号にデコード処理およびＤ／Ａ変換を施し、変換された信号をスピーカ３１１に出力する。スピーカ３１１は、音声デコーダ３１０から入力する信号に基づき、音を出力する。
【００６１】
開閉センサ３１２は、連結部３０の第２キャビネット２０に対する角度を検出する。開閉センサ３１２は、第２キャビネット２０と連結部３０がなす角度を検出する角度センサを備え、検出された角度に応じたデジタル信号を、ＣＰＵ１００へ出力する。ＣＰＵ１００は、開閉センサ３１２からの信号に基づき、現在、携帯電話機１の第１キャビネット１０および第２キャビネット２０の配置状態が、開状態、閉状態およびチルト状態の何れであるかを検出する処理を実行する。
【００６２】
なお、画面状態は、角度センサ以外の手段によって、検出されてもよい。たとえば、磁気センサが、画面状態の検出のために利用され得る。この場合、たとえば、第２キャビネット２０に磁気センサが配され、第１キャビネット１０または連結部３０に磁石が配される。開閉センサ３１２は、磁気センサが画面状態によって異なる磁力を検知することに基づき、ＣＰＵ１００が開閉状態を検出するための信号を、ＣＰＵ１００へ出力する。
【００６３】
ＣＰＵ１００は、配置状態が、開状態やチルト状態から閉状態へ遷移したことを検出したとき、第２表示面２４への描画を停止させ、また第２ディスプレイ２２のバックライトを消灯させるよう、第２表示制御装置３０７を介して第２ディスプレイ２２を制御する。配置状態が、閉状態からチルト状態や開状態へ遷移されたことを検出したとき、ＣＰＵ１００は、実行中の機能にもとづき、第２表示面２４への描画を開始させ、また、第２ディスプレイ２２のバックライトを点灯させるよう、第２表示制御装置３０７を介して第２ディスプレイ２２を制御する。
【００６４】
加速度センサ３１３は、第２キャビネット２０に配され、携帯電話機１に加えられる加速度を検出する。加速度センサ３１３は３軸加速度センサであり、図１のＸ軸方向、Ｙ軸方向およびＺ軸方向の３方向に生じる加速度を検出する。加速度センサ３１３は、検出した加速度に応じた加速度信号をＣＰＵ１００へ出力する。ＣＰＵ１００は、加速度センサ３１３からの加速度信号に基づき、携帯電話機１が、横向きおよび縦向きの何れの方向を向いているかを検出する。なお、使用状態がチルト状態であるとき、ＣＰＵ１００は、加速度センサ３１３が配された第２キャビネット２０の向きを基準にして、携帯電話機１の向きが、横向きおよび縦向きの何れの方向を向いているかを検出する。
【００６５】
なお、図１（ａ）、（ｂ）の上下方向が水平方向であるとき、携帯電話機１の向きが「縦向き」であると検出され、図１（ａ）、（ｂ）の左右方向が水平方向であるとき、携帯電話機１の向きが「横向き」であると検出される。携帯電話機１の向きにおいて、横向きが本発明の第１の向きに相当し、横向きが本発明の第２の向きに相当する。
【００６６】
メモリ２００は、ＲＯＭおよびＲＡＭを含む。メモリ２００には、ＣＰＵ１００に制御機能を付与するための制御プログラムが記憶されている。制御プログラムは、後述する、携帯電話機１の配置状態が、開状態、チルト状態および閉状態の間で切り替えられたときの表示制御のためのプログラムを含む。また、メモリ２００には、通話、電子メール（以下、単に「メール」と言う。）、カメラ機能、ウェブブラウザ、音楽プレーヤ等の各種アプリケーションが記憶されている。
【００６７】
また、メモリ２００は、アプリケーションの実行の際に一時的に利用または生成される
各種のデータを記憶するワーキングメモリとしても使用される。
【００６８】
メモリ２００には、制御プログラムの他に、画面生成のためのデータ、および第１および第２タッチセンサ１３、２３により入力された情報、第１および第２ＶＲＡＭ３０８、３０９に記憶されている画面のアドレス、実行が一時停止されたアプリケーションまたはタスクの実行状態、第１および第２表示面１４、２４に表示された画面の履歴であるタスクリスト等が、所定のファイル形式で保存される。
【００６９】
ＣＰＵ１００は、操作による入力、実行する制御プログラム、センサからの入力信号等に従って、カメラモジュール３０１、マイク３０２、通信モジュール３０５、第１および第２ディスプレイ１２、２２、スピーカ３１１等を動作させる。これにより、ＣＰＵ１００は、通話、カメラ機能、電子メール、ウェブブラウザ、地図、音楽プレーヤ等、各種のアプリケーションを実行する。
【００７０】
ＣＰＵ１００は、キー入力回路３０４、各タッチセンサ１３、２３からの操作入力信号に基づき、制御プログラムに従って、カメラモジュール３０１、マイク３０２、通信モジュール３０５、第１および第２ディスプレイ１２、２２、スピーカ３１１等を動作させる。これにより、ＣＰＵ１００は、各種アプリケーションを実行する。
【００７１】
＜携帯電話機の機能＞
図５（ａ）は、第１表示面１４および第２表示面２４にランチャー画面が表示された状態を示す図である。図５（ｂ）は、第１表示面１４および第２表示面２４に、ランチャー画面での操作により起動されたアプリケーションの実行画面が表示された状態を示す図である。なお、図５（ａ）、（ｂ）では、携帯電話機１の構成が模式的に示されており、キー群１６、２６等、一部の構成が図示省略されている。以下、図８、図１０および図１４についても同様である。
【００７２】
図５（ａ）に示すように、ランチャー画面には、各種のアプリケーションにそれぞれ対応するアイコンＤ１が表示されている。アプリケーションは、予め携帯電話機１備えられているアプリケーション以外にも、インターネットを通じたダウンロード等により入手可能であり、入手されたアプリケーションは、インストールにより携帯電話機１に追加される。
【００７３】
ユーザは、複数のアイコンＤ１の中から、所望のアイコンＤ１を指などでタップすることにより、所望のアプリケーションを起動することができる。
【００７４】
メモリ２００には、各アイコンＤ１と表示面１４、２４上での各アイコンＤ１の位置とを対応付けるアイコン対応テーブル、および各アイコンＤ１と各アプリケーションとを対応付けるアプリ対応テーブルが記憶されている。ＣＰＵ１００は、アイコンＤ１がタップされると、タップされた位置に基づいて、アイコン対応テーブルを用いて、タップされたアイコンＤ１を特定する。さらに、アプリ対応テーブルを用いて、タップされたアイコンＤ１に対応するアプリケーションを特定し、そのアプリケーションを起動する。
【００７５】
第１表示面１４に表示されたアイコンＤ１がタップされると、そのアイコンＤ１に対応するアプリケーションの実行画面が第１表示面１４に表示される。また、第２表示面２４に表示されたアイコンＤ１がタップされると、そのアイコンＤ１に対応するアプリケーションの実行画面が第２表示面２４に表示される。たとえば、図４（ｂ）に示すように、第１表示面１４において、メールのアプリケーションが起動されると、メール作成画面が第１表示面１４に表示される。また、第２表示面２４において、ウェブブラウザが起動されると、ＵＲＬに基づくウェブ画面が第２表示面２４に表示される。
【００７６】
さて、本実施の形態では、ユーザは、第１ディスプレイ１２および第２ディスプレイ２２による表示形態を、フル画面表示とセパレート画面表示との間で切り替えることができる。なお、セパレート画面表示の表示形態が、本発明の第１形態に相当し、フル画面表示の表示形態が、本発明の第２形態に相当する。
【００７７】
図６および図７は、携帯電話機１が、開状態、チルト状態および閉状態の間で切り替えられたときに表示形態を切り替えるための表示制御の処理手順を示すフローチャートである。図６（ａ）は、セパレート画面表示がなされているときに開状態からチルト状態または閉状態に移行した場合の表示制御を示すフローチャートである。図６（ｃ）は、閉状態からチルト状態または開状態に移行した場合の表示制御を示すフローチャートである。図７は、フル画面表示がなされているときにチルト状態から閉状態または開状態に移行した場合の表示制御を示すフローチャートである。
【００７８】
図８は、図６および図７の表示制御が実行されたときの画面表示例を表す図である。図８（ａ）、（ｂ）および（ｃ）は、それぞれ、開状態、チルト状態および閉状態での画面表示例である。
【００７９】
携帯電話機１が開状態にあり、且つ、表示形態がセパレート画面表示である場合に図６（ａ）の表示制御が実行される。たとえば、図８（ａ）に示すように、開状態において、メール作成画面が第１表示面１４に表示され、ウェブ画面が第２表示面２４に表示される。メール作成画面では、宛先、件名、本文等を表示する入力表示部と、テンキー（キーボード）、送信キー等からなる入力操作部とが第１表示面１４に表示される。
【００８０】
図６（ａ）を参照して、ＣＰＵ１００は、携帯電話機１の配置状態が、開状態からチルト状態に移行したか否かを監視する（Ｓ１０１）。ＣＰＵ１００は、携帯電話機１がチルト状態の位置に停止すると、チルト状態に移行したと判定する。また、ＣＰＵ１００は、携帯電話機１の配置状態が、開状態から閉状態に移行したか否かを監視する（Ｓ１０３）。
【００８１】
ユーザは、現在の操作を行っているアプリケーションの実行画面をフル画面表示で表示させたい場合に、携帯電話機１を、開状態からチルト状態に切り替える。
【００８２】
これにより、チルト状態に移行したと判定すると（Ｓ１０１：ＹＥＳ）、ＣＰＵ１００は、現在の操作対象であるアプリケーションの実行画面を第１表示面１４および第２表示面２４に表示する（Ｓ１０２）。ここで、ＣＰＵ１００は、表示面１４、２４に対する操作の履歴をメモリ２００に保持させている。そして、ＣＰＵ１００は、チルト状態に移行した際、最後に操作がなされていた表示面に対応するアプリケーションを、現在の操作対象であるアプリケーションとする。
【００８３】
たとえば、図８（ａ）のように、第１表示面１４で実行されているメールのアプリケーションが操作対象である場合には、図８（ｂ）に示すように、メール作成画面が第１表示面１４および第２表示面２４に表示される。このとき、入力表示部が第１表示面１４に表示され、入力操作部が第２表示面２４に表示される。なお、開状態において第２表示面２４で実行されていたウェブブラウザ（操作対象でないアプリケーション）は終了されず、一時的な停止状態（ポーズ状態）とはなるものの、バックグランドで引き続き実行される。
【００８４】
ユーザは、携帯電話機１を、開状態から、チルト状態で停止させることなく、そのまま閉状態に切り替える場合もある。
【００８５】
この場合、ＣＰＵ１００は、閉状態に移行したと判定し（Ｓ１０３：ＹＥＳ）、現在の操作対象であるアプリケーションの実行画面を第１表示面１４に表示する（Ｓ１０４）。たとえば、図８（ｃ）に示すように、メール作成画面が第１表示面１４に表示される。このとき、開状態のときと同様、入力表示部および入力操作部が第２表示面２４に表示される。
【００８６】
次に、携帯電話機１が閉状態である場合に図６（ｂ）の表示制御が実行される。図６（ｂ）を参照して、ＣＰＵ１００は、携帯電話機１の配置状態が、閉状態からチルト状態に移行したか否かを監視する（Ｓ２０１）。また、ＣＰＵ１００は、携帯電話機１の配置状態が、閉状態から開状態に移行したか否かを監視する（Ｓ２０３）。
【００８７】
ユーザは、第１表示面１４上で実行されているアプリケーション、即ちフォアグランドで実行されているアプリケーションの実行画面をフル画面表示で表示させたい場合に、携帯電話機１を、閉状態からチルト状態に切り替える。
【００８８】
これにより、チルト状態に移行したと判定すると（Ｓ２０１：ＹＥＳ）、ＣＰＵ１００は、フォアグランドで実行されていたアプリケーションの実行画面を第１表示面１４および第２表示面２４に表示する（Ｓ２０２）。
【００８９】
たとえば、図８（ｃ）のように、メールのアプリケーションがフォアグランドで実行されていた場合には、図８（ｂ）のように、メール作成画面が第１表示面１４および第２表示面２４に表示される。このとき、入力表示部が第１表示面１４に表示され、入力操作部が第２表示面２４に表示される。なお、閉状態においてバックグランドで実行されていたアプリケーション（たとえば、ウェブブラウザ）は、一時的な停止状態で、バックグランドで引き続き実行される。
【００９０】
ユーザは、携帯電話機１を、閉状態から、チルト状態で停止させることなく、そのまま開状態に切り替える場合もある。
【００９１】
この場合、ＣＰＵ１００は、開状態に移行したと判定し（Ｓ２０３：ＹＥＳ）、フォアグランドで実行されていたアプリケーションの実行画面を第１表示面１４に表示するとともに（Ｓ２０４）、バックグランドで実行されていたアプリケーションの実行画面を第２表示面２４に表示する（Ｓ２０５）。たとえば、図８（ａ）に示すように、メール作成画面が第１表示面１４に表示され、ウェブ画面が第２表示面２４に表示される。
【００９２】
次に、携帯電話機１がチルト状態であり、且つ、表示形態がフル画面表示である場合に図７の表示制御が実行される。図７を参照して、ＣＰＵ１００は、携帯電話機１の配置状態が、チルト状態から閉状態に移行したか否かを監視するとともに（Ｓ３０１）、チルト状態から開状態に移行したか否かを監視する（Ｓ３０３）。
【００９３】
ユーザは、図８（ｂ）のように、セパレート画面表示がなされている状態において、携帯電話機１をコンパクトな状態として、操作対象となるアプリケーションを引き続き使用したい場合、携帯電話機１を、チルト状態から閉状態に切り替える。
【００９４】
これにより、閉状態に移行したと判定すると（Ｓ３０１：ＹＥＳ）、ＣＰＵ１００は、両表示面１４、２４上で実行されていたアプリケーション、即ちフォアグランドで実行されていたアプリケーションの実行画面を第１表示面１４に表示する（Ｓ３０２）。たとえば、メールのアプリケーションがフォアグランドで実行されていた場合には、図８（ｃ）に示すように、メール作成画面が第１表示面１４に表示される。
【００９５】
一方、ユーザは、表示形態をセパレート画面表示としたい場合、携帯電話機１を、チルト状態から開状態に切り替える。
【００９６】
これにより、開状態に移行したと判定すると（Ｓ３０３：ＹＥＳ）、ＣＰＵ１００は、フォアグランドで実行されていたアプリケーションの実行画面を第１表示面１４に表示し（Ｓ３０４）、バックグランドで実行されていたアプリケーションの実行画面を第２表示面２４に表示する（Ｓ３０５）。たとえば、図８（ａ）に示すように、メール作成画面が第１表示面１４に表示され、ウェブ画面が第２表示面２４に表示される。
【００９７】
なお、開状態、チルト状態および閉状態の各状態において、表示面１４、２４に画面が表示する際、ＣＰＵ１００は、加速度センサ３１３により、表示面１４、２４が横向き（表示面１４、２４の短手方向が鉛直方向となる向き）であるか、縦向き（表示面１４、２４の長手方向が鉛直方向となる向き）であるかを検出する。そして、ＣＰＵ１００は、表示面１４、２４が横向きであれば、表示面１４、２４の短手方向が画面の上下となるように画面を表示する（図８参照）。一方、ＣＰＵ１００は、表示面１４、２４が横向きであれば、表示面１４、２４の短手方向が画面の上下となるように画面を表示する（図１４（ｂ）参照）。
【００９８】
＜本実施の形態の効果＞
以上、本実施の形態によれば、ユーザは、携帯電話機１を、開状態とチルト状態との間で切り替えることにより、表示形態を、セパレート画面表示とフル画面表示との間で容易に切り替えることができる。
【００９９】
また、本実施の形態によれば、現在の操作対象であるアプリケーションの実行画面がフル画面表示の表示形態で表示されるので、操作対象のアプリケーションを引き続き利用できる。
【０１００】
さらに、本実施の形態によれば、表示形態を切り替える操作を行うために、各表示面１４、２４にソフトキーを表示したり、キャビネット１０、２０にハードキーを設けたりする必要がない。
【０１０１】
さらに、本実施の形態によれば、フル画面表示に切り替えられた際にも、操作対象でないアプリケーションは終了されず、バックグランドで実行され続ける。よって、再びセパレート画面表示に切り替えられたときに、双方の表示面１４、２４に素早く実行画面を表示することができる。
【０１０２】
さらに、開状態から閉状態、またはチルト状態から閉状態に切り替えられたときには、現在の操作対象であるプリケーションの実行画面が、第１表示面１４に表示される。よって、ユーザは、操作対象のアプリケーションを引き続き利用できる。
【０１０３】
＜変更例１＞
図９は、変更例１に係る表示制御の処理手順を示すフローチャートである。図１０は、図９の表示制御が実行されたときの画面表示例を表す図である。
【０１０４】
本変更例では、ユーザは、チルト状態において、バックグランドで実行されていたアプリケーションの実行画面が第１表示面１４および第２表示面２４に表示されるように、画面表示を切り替えることができる。
【０１０５】
図９に示すように、本変更例では、図７に示す制御処理に対して、ステップＳ３０６お
よびＳ３０７の処理が追加される。それ以外の処理は、上記実施の形態における処理と同じである。
【０１０６】
図１０に示すように、チルト状態でフル画面表示がなされた状態において、第１表示面１４には、画面表示を切り替えるための切替アイコンＤ２が表示される。
【０１０７】
ＣＰＵ１００は、閉状態への移行および開状態への移行を監視するとともに（Ｓ３０１、Ｓ３０３）、切替アイコンＤ２がタップされたか否かを監視する（Ｓ３０６）。
【０１０８】
ユーザは、たとえば、図１０（ａ）に示すように、メールのアプリケーションの実行画面がフル画面表示により表示されている状態において、バックグランドで実行されているウェブブラウザを使用を望む場合に、切替アイコンＤ２をタップする。
【０１０９】
これにより、切替アイコンＤ２がタップされたと判定すると（Ｓ３０６：ＹＥＳ）、ＣＰＵ１００は、バックグランドで実行されていたアプリケーションの実行画面を第１表示面１４および第２表示面２４に表示する（Ｓ３０７）。たとえば、図１０（ｂ）に示すように、バックグランドで実行されていたウェブブラウザによるウェブ画面が第１表示面１４および第２表示面２４に表示される。このとき、フォアグランドで実行されていたメールのアプリケーションは、バックグランドにおいて、一時的な停止状態となるが実行され続ける。第１表示面１４には、引き続き、切替アイコンＤ２が表示される。よって、切替アイコンＤ２が再びタップされれば、図１０（ａ）に示すように、メール作成画面が第１表示面１４および第２表示面２４に表示される。
【０１１０】
なお、切替アイコンＤ２は、第２表示面２４に表示されても良いし、両方の表示面１４、２４に表示されても良い。また、切替アイコンＤ２が、通常は表示面１４、２４に表われておらず、表示面１４、２４に対して所定の操作（たとえば、タップ）がなされると、表示面１４、２４に表われるような構成とされても良い。
【０１１１】
このように、本変更例の構成とすれば、チルト状態において、バックグランドで実行されているアプリケーションを、容易にフォアグランドへ切り替えて利用することができる。
【０１１２】
＜変更例２＞
図１１から図１３は、変更例２に係る表示制御の処理手順を示すフローチャートである。図１１は、セパレート画面表示がなされているときに開状態からチルト状態または閉状態に移行した場合の表示制御を示すフローチャートである。図１２は、閉状態からチルト状態または開状態に移行した場合の表示制御を示すフローチャートである。図１３は、フル画面表示がなされているときにチルト状態から閉状態または開状態に移行した場合の表示制御を示すフローチャートである。図１４は、図１１から図１３の表示制御が実行されたときの画面表示例を表す図である。
【０１１３】
本変更例では、チルト状態において画面表示がなされる際に、携帯電話機１の向きが判定され、向きに応じた画面表示がなされる。
【０１１４】
本変更例の図１１に示す制御処理では、図６（ａ）に示す制御処理におけるステップＳ１０２の処理が、ステップＳ１０５からＳ１０７の処理に置き換えられる。また、本変更例の図１２に示す制御処理では、図６（ｂ）に示す制御処理におけるステップＳ２０２の処理が、ステップＳ２０６からＳ２０９の処理に置き換えられる。本変更例の図１３に示す制御処理では、図７に示す制御処理に対して、ステップＳ３０８からＳ３１２の処理が追加される。それ以外の処理は、上記実施の形態における処理と同じである。
【０１１５】
図１１を参照して、ＣＰＵ１００は、携帯電話機１の配置状態が、開状態からチルト状態へ移行されたと判定すると（Ｓ１０１：ＹＥＳ）、加速度センサ３１３により、携帯電話機１の向きを判定する。即ち、ＣＰＵ１００は、携帯電話機１がユーザに持たれた状態にあるときに横向きであるか（図１４（ａ）参照）、縦向きであるか（図１４（ｂ）参照）を判定する（Ｓ１０５）。
【０１１６】
携帯電話機１が横向きである場合には、第１表示面１４および第２表示面２４が上下に並ぶ。一方、携帯電話機１が縦向きである場合には、第１表示面１４および第２表示面２４が左右に並ぶ。
【０１１７】
ＣＰＵ１００は、携帯電話機１が横向きであると判定すると（Ｓ１０５：横）、現在の操作対象であるアプリケーションの実行画面を、横向きの状態、即ち、図１４（ａ）に示すように、表示面１４、２４の短手方向が実行画面の上下方向となる状態で第１表示面１４および第２表示面２４に表示する（Ｓ１０６）。
【０１１８】
一方、ＣＰＵ１００は、携帯電話機１が縦向きであると判定すると（Ｓ１０５：縦）、第１表示面１４で実行されていたアプリケーションの実行画面を、縦向きの状態、即ち、図１４（ｂ）に示すように、表示面１４、２４の長手方向が実行画面の上下方向となる状態で第１表示面１４に表示し、第２表示面２４で実行されていたアプリケーションの実行画面を、縦向きの状態で第２表示面２４に表示する（Ｓ１０７）。
【０１１９】
つまり、開状態において携帯電話機１が横向きであって、チルト状態に移行された際に縦向きに変えられた場合には、各表示面１４、１５の実行画面の向きが横向きから縦向きに変えられる。一方、開状態において携帯電話機１が縦向きである場合には、実行画面は縦向きの状態にあるので、携帯電話機１が縦向きのままチルト状態に移行された場合には、表示形態が変化しない。ただし、何れの場合も、表示形態はセパレート画面表示のままとなる。
【０１２０】
次に、図１２を参照して、ＣＰＵ１００は、携帯電話機１の配置状態が、閉状態からチルト状態へ移行されたと判定すると（Ｓ２０１：ＹＥＳ）、加速度センサ３１３により、携帯電話機１の向きを判定する（Ｓ２０６）。ＣＰＵ１００は、携帯電話機１が横向きであると判定すると（Ｓ２０６：横）、図１４（ａ）に示すように、フォアグランドで実行されていたアプリケーションの実行画面を、横向きの状態で第１表示面１４および第２表示面２４に表示する（Ｓ２０７）。
【０１２１】
一方、ＣＰＵ１００は、携帯電話機１が縦向きであると判定すると（Ｓ２０６：縦）、図１４（ｂ）に示すように、フォアグランドで実行されていたアプリケーションの実行画面を、縦向きの状態で第１表示面１４に表示するとともに（Ｓ２０８）、バックグランドで実行されていたアプリケーションの実行画面を、縦向きの状態で第２表示面２４に表示する（Ｓ２０９）。
【０１２２】
次に、図１３を参照して、チルト状態において、ＣＰＵ１００は、閉状態への移行および開状態への移行を監視するとともに（Ｓ３０１、Ｓ３０３）、携帯電話機１の向きが変化したか否か、即ち、横方向から縦方向に変わったか否か、あるいは縦方向から横方向に変わったか否かを監視する（Ｓ３０８、Ｓ３０９）。
【０１２３】
チルト状態において、携帯電話機１が縦向きであれば、上記のように、２つのアプリケーションの実行画面が、それぞれ対応する表示面１４、２４に縦向きの状態で表示されている（図１４（ｂ）参照）。この状態から、ユーザにより携帯電話機１が横向きに変えら
れると、ＣＰＵ１００は、携帯電話機１が縦向きから横向きに変わったと判定し（Ｓ３０８：ＹＥＳ、Ｓ３０９：縦→横）、現在の操作対象であるアプリケーションの実行画面を、横向きの状態で第１表示面１４および第２表示面２４に表示する（Ｓ３１０；図１４（ａ）参照）。
【０１２４】
一方、チルト状態において、携帯電話機１が横向きであれば、上記のように、１つのアプリケーションの実行画面が、両表示面１４、２４に横向きの状態で表示されている（図１４（ａ）参照）。この状態から、ユーザにより携帯電話機１が縦向きに変えられると、ＣＰＵ１００は、携帯電話機１が横向きから縦向きに変わったと判定し（Ｓ３０８：ＹＥＳ、Ｓ３０９：横→縦）、両表示面１４、２４上で実行されているアプリケーション、即ち、フォアグランドで実行されているアプリケーションの実行画面を、縦向きの状態で第１表示面１４に表示するとともに（Ｓ３１１）、バックグランドで実行されているアプリケーションの実行画面を、縦向きの状態で第２表示面２４に表示する（Ｓ３１２；図１４（ｂ）参照）。
【０１２５】
このように、本変更例の構成とすれば、ユーザは、携帯電話機１をチルト状態且つ横向きとして１つのアプリケーションを使用する形態と、携帯電話機１をチルト状態且つ縦向きとして２つのアプリケーションを使用する形態とを、様々なアプリケーションの利用シーンに合わせて使い分けることが可能となる。よって、ユーザの利便性が向上する。
【０１２６】
＜その他＞
以上、本発明の実施形態について説明したが、本発明は上記実施の形態によって何ら制限されるものではなく、また、本発明の実施形態も上記の他に種々の変更が可能である。
【０１２７】
たとえば、上記実施の形態では、開状態においてセパレート画面表示がなされているときに、チルト状態に移行すると、フル画面表示に切り替えられる構成とされている。しかしながら、これに限らず、開状態においてフル画面表示がなされているときに、チルト状態に移行すると、セパレート画面表示に切り替えられる構成とされても良い。
【０１２８】
また、上記実施の形態では、開状態からチルト状態に移行すると、現在の操作対象であるアプリケーションの実行画面がフル画面表示の表示形態で表示される構成とされている。しかしながら、これに限らず、たとえば、開状態で所定の表示面に対して実行されていたアプリケーションの実行画面がフル画面表示の表示形態で表示される構成とされても良い。あるいは、チルト状態となったときに、表示するアプリケーションを選択するための選択画面が表示され、選択画面にて選択されたアプリケーションの実行画面がフル画面表示の表示形態で表示される構成とされても良い。
【０１２９】
また、上記実施の形態では、アプリケーションとして、メールのアプリケーションおよびウェブブラウザを例にとって説明したが、勿論、電話のアプリケーション、アドレス帳のアプリケーション、動画を再生するアプリケーションン等、他のアプリケーションの実行画面において、フル画面表示とセパレート画面表示と間の表示形態の切り替えが行われても良い。
【０１３０】
さらに、上記変更例１では、チルト状態における画面表示の切り替えが切替アイコンＤ２より行われる構成とされている。しかしながら、切替操作は、切替アイコンＤ２の操作に限られるものでなく、どのような操作であっても良い。たとえば、キー群１６、２６の１つのキーが切替操作に割り当てられても良い。また、表示面１４、２４が、予め決められたパターンでなぞられたときに切替操作が受け付けられても良い。また、携帯電話機１が、予め決められた態様で動かされたときに切替操作が受け付けられても良い。
【０１３１】
さらに、上記変更例２では、携帯電話機１がチルト状態且つ縦向きである場合には、図１４（ｂ）に示すように、２つのアプリケーションの実行画面が、対応する表示面にそれぞれ縦向きの状態で表示される構成とされている。しかしながら、この表示形態と、図１５に示すような、１つのアプリケーションを携帯電話機１が横向きである場合と同じように表示する表示形態のどちらの表示形態をとるかをユーザが予め設定できるような構成とされても良い。この場合、携帯電話機１がチルト状態且つ縦向きであると、ユーザにより設定された表示形態（図１４（ｂ）の表示形態または図１５の表示形態）により両表示面１４、２４に表示がなされる。
【０１３２】
さらに、携帯電話機１が搭載されたアプリケーションの中には、その実行画面がフル画面表示の状態でのみ表示可能なアプリケーション（以下、「フル画面専用のアプリケーション」と言う）もある。図１６（ａ）に示すように、開状態において、フル画面専用のアプリケーションＡが両表示面１４、２４に表示され、バックグランドにて、フル画面専用のアプリケーションでないアプリケーションＢが実行されている場合に、携帯電話機１がチルト状態に切り替えられると、ＣＰＵ１００は、どちらか一方の表示面、たとえば、図１６（ｂ）に示すように、第１表示面１４にアプリケーションＢの実行画面を表示し、第２表示面２４を消灯する。さらに、携帯電話機１がチルト状態から閉状態に切り替えられると、ＣＰＵ１００は、図１６（ｃ）に示すように、アプリケーションＢの実行画面を第１表示面１４に表示する。チルト状態および閉状態において、フル画面専用のアプリケーションＡは、バックグランドで実行され続ける。なお、開状態において、フル画面専用のアプリケーションＡが両表示面１４、２４に表示されている状態（図１６（ａ））から、チルト状態で停止されることなく、閉状態に切り替えられたときも、ＣＰＵ１００は、アプリケーションＢの実行画面を第１表示面１４に表示する（図１６（ｃ））。
【０１３３】
反対に、図１６（ｃ）に示すように、閉状態において、アプリケーションＢが第１表示面１４に表示され、バックグランドにて、フル画面専用のアプリケーションＡが実行されている場合に、携帯電話機１がチルト状態に切り替えられると、ＣＰＵ１００は、どちらか一方の表示面、たとえば、図１６（ｂ）に示すように、第１表示面１４にアプリケーションＢの実行画面を表示し、第２表示面２４を消灯する。さらに、携帯電話機１がチルト状態から開状態に切り替えられると、ＣＰＵ１００は、図１６（ａ）に示すように、フル画面専用のアプリケーションＡの実行画面を両表示面１４、２４に表示する。なお、閉状態において、アプリケーションＢが第１表示面１４に表示されている状態（図１６（ｃ））から、チルト状態で停止されることなく、開状態に切り替えられたときも、ＣＰＵ１００は、フル画面専用のアプリケーションＡの実行画面を両表示面１４、２４に表示する（図１６（ａ））。
【０１３４】
なお、チルト状態では、第２表示面２４が消灯されるのではなく、アプリケーションＢの実行画面が拡大されて、両表示面１４、２４に表示されても良い。
【０１３５】
さらに、本発明の携帯端末装置は、携帯電話機に限られず、ＰＤＡ（PersonalDigital Assistant）、タブレットＰＣ（Tablet PC）等であってもよい。
【０１３６】
この他、本発明の実施の形態は、特許請求の範囲に示された技術的思想の範囲内において、適宜、種々の変更が可能である。
【符号の説明】
【０１３７】
１０  第１キャビネット
１４  第１表示面
２０  第２キャビネット
２４  第２表示面
３０  連結部（支持部）
１００  ＣＰＵ（制御部、状態検出部、向き検出部）
３１２  開閉センサ（状態検出部）
３１３  加速度センサ（向き検出部）
【図１】
0005805428.tif 000002
【図２】
0005805428.tif 000003
【図３】
0005805428.tif 000004
【図４】
0005805428.tif 000005
【図５】
0005805428.tif 000006
【図６】
0005805428.tif 000007
【図７】
0005805428.tif 000008
【図８】
0005805428.tif 000009
【図９】
0005805428.tif 000010
【図１０】
0005805428.tif 000011
【図１１】
0005805428.tif 000012
【図１２】
0005805428.tif 000013
【図１３】
0005805428.tif 000014
【図１４】
0005805428.tif 000015
【図１５】
0005805428.tif 000016
【図１６】
0005805428.tif 000017